【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
ソフトウェアのライセンスを管理するライセンス管理サーバと、画像形成装置とにネットワークで接続されたライセンス更新管理装置であって、
前記画像形成装置を識別する識別情報に、前記ソフトウェアの利用料金の支払の有無を示す支払情報を対応付けた支払情報テーブルを記憶する記憶部と、
前記画像形成装置から前記ライセンスの期限切れの通知を受信する通知受信部と、
前記通知を受信した場合に、前記画像形成装置にインストールされているソフトウェアのライセンスの自動更新を中止させる更新設定部と、
最新の前記支払情報を取得し、前記記憶部に記憶されている前記支払情報テーブルを、取得した最新の前記支払情報に更新する支払情報更新部と、
更新された前記支払情報テーブルを参照して、前記通知を受信した画像形成装置の前記識別情報に対応する前記支払情報を取得し、取得した前記支払情報から前記利用料金が支払済みであることを確認した場合に、前記ライセンスを更新可能と判断する更新可否判断部と、
前記ライセンスを更新可能と判断された場合に、前記画像形成装置に前記ライセンスの更新を要求する更新要求部と、
を備えることを特徴とするライセンス更新管理装置。
【請求項２】
前記通知受信部は、前記通知を、前記画像形成装置とネットワークで接続され、前記通知を前記画像形成装置から受信して、前記ライセンス管理装置に送信する仲介装置を介して受信すること、
を特徴とする請求項１に記載のライセンス更新管理装置。
【請求項３】
前記通知受信部は、前記通知を、前記画像形成装置とネットワークで接続され、前記通知を前記画像形成装置から受信して、前記ライセンス管理装置に送信する仲介装置を介して受信すること、
を特徴とする請求項１に記載のライセンス更新管理装置。
【請求項４】
前記更新設定部は、前記画像形成装置とネットワークで接続された仲介装置を介して、前記ライセンスの自動更新を中止させること、
を特徴とする請求項１に記載のライセンス更新管理装置。
【請求項５】
前記支払情報更新部は、前記支払情報テーブルを、前記利用料金の支払の有無を管理する課金サーバから取得すること、
を特徴とする請求項１に記載のライセンス更新管理装置。
【請求項６】
インストールされているソフトウェアのライセンスの期限切れを検知した場合に、ライセンスの期限切れを通知する画像形成装置と、
前記画像形成装置を識別する識別情報に、前記ソフトウェアの利用料金の支払の有無を示す支払情報を対応付けた支払情報テーブルを記憶する記憶部と、
前記画像形成装置から期限切れの通知を受信する通知受信部と、
前記通知を受信した場合に、前記画像形成装置にインストールされているソフトウェアのライセンスの自動更新を中止させる更新設定部と、
最新の前記支払情報を取得し、前記記憶部に記憶されている前記支払情報テーブルを、取得した最新の前記支払情報に更新する支払情報更新部と、
更新された前記支払情報テーブルを参照して、前記画像形成装置の前記識別情報に対応する前記支払情報を取得し、取得した前記支払情報から前記利用料金が支払済みであることを確認した場合に、前記ライセンスを更新可能と判断する更新可否判断部と、
前記ライセンスを更新可能と判断された場合に、前記画像形成装置に前記ライセンスの更新を要求する更新要求部と、を備え、
前記画像形成装置は、
前記要求更新部から前記ライセンスの更新の要求を受信した場合に、ライセンスの送信を要求するライセンス要求部、をさらに備え、
前記画像形成装置から前記ライセンスの送信の要求を受信した場合に、前記画像形成装置にライセンスを送信するライセンス送信部をさらに備える、
ことを特徴とするライセンス管理システム。
【請求項７】
インストールされているソフトウェアのライセンスの期限切れを検知した場合に、ライセンスの期限切れの通知を仲介装置に送信する画像形成装置を備え、
前記仲介装置は、前記通知を転送する通信部を備え、
前記画像形成装置を識別する識別情報に、前記ソフトウェアの利用料金の支払の有無を示す支払情報を対応付けた支払情報テーブルを記憶する記憶部と、
前記仲介装置から前記通知を受信する通知受信部と、
前記通知を受信した場合に、前記仲介装置に、インストールされているソフトウェアのライセンスの自動更新の中止指令を送信する更新設定部と、
前記ライセンスの自動更新の中止指令を送信した場合に、最新の前記支払情報を取得し、前記記憶部に記憶されている前記支払情報テーブルを、取得した最新の前記支払情報に更新する支払情報更新部と、
更新された前記支払情報テーブルを参照して、前記画像形成装置の前記識別情報に対応する前記支払情報を取得し、取得した前記支払情報から前記利用料金が支払済みであることを確認した場合に、前記ライセンスを更新可能と判断する更新可否判断部と、
前記ライセンスを更新可能と判断された場合に、前記仲介装置に前記ライセンスの更新を要求する更新要求部と、をさらに備え、
前記仲介装置は、
前記中止指令を受信した場合に、前記ライセンスの自動更新を中止する更新設定部と、
前記ライセンスの更新の要求を受信した場合に、ライセンスの送信を要求するライセンス要求部と、をさらに備え、
前記画像形成装置から前記ライセンスの送信の要求を受信した場合に、前記画像形成装置にライセンスを送信するライセンス送信部をさらに備える、
ことを特徴とするライセンス管理システム。
【請求項８】
画像形成装置と、前記画像形成装置にインストールされるソフトウェアのライセンスを管理するライセンス管理サーバと、前記画像形成装置と前記ライセンス管理サーバとにネットワークで接続され、前記ライセンスの更新を管理するライセンス更新管理装置とを備えたライセンス更新方法であって、
前記ライセンス更新管理装置は、記憶部を備え、
前記画像形成装置が、前記画像形成装置にインストールされているソフトウェアのライセンスの期限切れを検知した場合に、ライセンスの期限切れの通知を前記ライセンス更新管理装置に送信するステップと、
前記ライセンス更新管理装置が、前記画像形成装置を識別する識別情報に、前記ソフトウェアの利用料金の支払の有無を示す支払情報を対応付けた支払情報テーブルを前記記憶部に保存するステップと、
前記画像形成装置から前記通知を受信するステップと、
前記通知を受信した場合に、前記画像形成装置にインストールされているソフトウェアのライセンスの自動更新を中止させるステップと、
最新の前記支払情報を取得し、前記記憶部に記憶されている前記支払情報テーブルを、取得した最新の前記支払情報に更新するステップと、
更新された前記支払情報テーブルを参照して、前記画像形成装置の前記識別情報に対応する前記支払情報を取得し、取得した前記支払情報から前記利用料金が支払済みであることを確認した場合に、前記ライセンスを更新可能と判断するステップと、
前記ライセンスを更新可能と判断された場合に、前記画像形成装置に前記ライセンスの更新を要求するステップと、
前記画像形成装置が、前記ライセンス更新管理装置から前記要求を受信した場合に、前記ライセンス管理サーバに、ライセンスの送信を要求するステップと、
前記ライセンス管理サーバが、前記画像形成装置から前記ライセンスの送信の要求を受信した場合に、前記画像形成装置にライセンスを送信するステップと、
を含むことを特徴とするライセンス更新方法。
【請求項９】
ライセンスを管理するライセンス管理サーバと、画像形成装置とにネットワークで接続されたコンピュータを、
前記画像形成装置を識別する識別情報に、前記ソフトウェアの利用料金の支払の有無を示す支払情報を対応付けた支払情報テーブルを記憶する記憶部と、
前記画像形成装置から前記ライセンスの期限切れの通知を受信する通知受信部と、
前記通知を受信した場合に、前記画像形成装置にインストールされているソフトウェアのライセンスの自動更新を中止させる更新設定部と、
最新の前記支払情報を取得し、前記記憶部に記憶されている前記支払情報テーブルを、取得した最新の前記支払情報に更新する支払情報更新部と、
更新された前記支払情報テーブルを参照して、前記通知を受信した画像形成装置の前記識別情報に対応する前記支払情報を取得し、取得した前記支払情報から前記利用料金が支払済みであることを確認した場合に、前記ライセンスを更新可能と判断する更新可否判断部と、
前記ライセンスを更新可能と判断された場合に、前記画像形成装置に前記ライセンスの更新を要求する更新要求部と、
して機能させるためのプログラム。
【手続補正２】
【補正対象書類名】明細書
【補正対象項目名】０００７
【補正方法】変更
【補正の内容】
【０００７】
また、本発明は、インストールされているソフトウェアのライセンスの期限切れを検知した場合に、ライセンスの期限切れを通知する画像形成装置と、前記画像形成装置を識別する識別情報に、前記ソフトウェアの利用料金の支払の有無を示す支払情報を対応付けた支払情報テーブルを記憶する記憶部と、前記画像形成装置から期限切れの通知を受信する通知受信部と、前記通知を受信した場合に、前記画像形成装置にインストールされているソフトウェアのライセンスの自動更新を中止させる更新設定部と、最新の前記支払情報を取得し、前記記憶部に記憶されている前記支払情報テーブルを、取得した最新の前記支払情報に更新する支払情報更新部と、更新された前記支払情報テーブルを参照して、前記画像形成装置の前記識別情報に対応する前記支払情報を取得し、取得した前記支払情報から前記利用料金が支払済みであることを確認した場合に、前記ライセンスを更新可能と判断する更新可否判断部と、前記ライセンスを更新可能と判断された場合に、前記画像形成装置に前記ライセンスの更新を要求する更新要求部と、を備え、前記画像形成装置は、前記要求更新部から前記ライセンスの更新の要求を受信した場合に、ライセンスの送信を要求するライセンス要求部、をさらに備え、前記画像形成装置から前記ライセンスの送信の要求を受信した場合に、前記画像形成装置にライセンスを送信するライセンス送信部をさらに備える、ことを特徴とする。
【手続補正３】
【補正対象書類名】明細書
【補正対象項目名】０００８
【補正方法】変更
【補正の内容】
【０００８】
また、本発明は、インストールされているソフトウェアのライセンスの期限切れを検知した場合に、ライセンスの期限切れの通知を仲介装置に送信する画像形成装置を備え、前記仲介装置は、前記通知を転送する通信部を備え、前記画像形成装置を識別する識別情報に、前記ソフトウェアの利用料金の支払の有無を示す支払情報を対応付けた支払情報テーブルを記憶する記憶部と、前記仲介装置から前記通知を受信する通知受信部と、前記通知を受信した場合に、前記仲介装置に、インストールされているソフトウェアのライセンスの自動更新の中止指令を送信する更新設定部と、前記ライセンスの自動更新の中止指令を送信した場合に、最新の前記支払情報を取得し、前記記憶部に記憶されている前記支払情報テーブルを、取得した最新の前記支払情報に更新する支払情報更新部と、更新された前記支払情報テーブルを参照して、前記画像形成装置の前記識別情報に対応する前記支払情報を取得し、取得した前記支払情報から前記利用料金が支払済みであることを確認した場合に、前記ライセンスを更新可能と判断する更新可否判断部と、前記ライセンスを更新可能と判断された場合に、前記仲介装置に前記ライセンスの更新を要求する更新要求部と、をさらに備え、前記仲介装置は、前記中止指令を受信した場合に、前記ライセンスの自動更新を中止する更新設定部と、前記ライセンスの更新の要求を受信した場合に、ライセンスの送信を要求するライセンス要求部と、をさらに備え、前記画像形成装置から前記ライセンスの送信の要求を受信した場合に、前記画像形成装置にライセンスを送信するライセンス送信部をさらに備える、ことを特徴とする。